(57)【要約】【課題】  環境光の変化に沿って光度を調整することが可能な、インテリジェントディスプレイパネル装置及び方法を提供すること。【解決手段】  内蔵光検知器を利用して、外部及び内部光度値を取得する。そしてマイクロコンピュータシステムがその値を比較し、ディスプレイパネル光度を調整するのに適した値を算出する。前記値は、内部光度変換機に移り、値を一連の信号に変換し、変換信号を内蔵光度調整モジュールに送信する。内蔵光度調整モジュールが内部及び環境光を比較して、環境光の変化に沿った最適ディスプレイパネル光度を算出してディスプレイパネルの光度をこの値に沿って調整する。【選択図】    図１
2006154703.tif 000002
【特許請求の範囲】
【請求項１】
フロントパネルとバックパネルを有した、ディスプレイパネルと、
ディスプレイパネル外部の任意位置に設置した、少なくとも一つの第一光検知装置と、
ディスプレイパネル内部の任意位置に設置した、少なくとも一つの第二光検知装置と、
ディスプレイパネル内部の任意位置に設置した、マイクロチップシステムと、
ディスプレイパネル内部の任意位置に設置した、変換機と、
ディスプレイパネル内部の任意位置に設置した、光度調整モジュールとより成り、
インテリジェントディスプレイパネルに利用し、環境光の変化に沿ってディスプレイパネル内部光度を調整可能に構成した、
ディスプレイパネルの光度調整装置。
【請求項２】
前記ディスプレイパネルが液晶ディスプレイであることを特徴とする、請求項１に記載の光度調整装置。
【請求項３】
前記ディスプレイパネルがノート型コンピュータのディスプレイであることを特徴とする、請求項１に記載の光度調整装置。
【請求項４】
前記マイクロチップシステムがマイクロチップモジュールであることを特徴とする、請求項１に記載の光度調整装置。
【請求項５】
前記第一光検知装置が前記ディスプレイパネル上部前面外部の任意位置に設置したことを特徴とする、請求項１に記載の光度調整装置。
【請求項６】
前記第一光検知装置が更に光パイプを有することを特徴とする、請求項１に記載の光度調整装置。
【請求項７】
前記第二光検知装置が更に光パイプを有することを特徴とする、請求項１に記載の光度調整装置。
【請求項８】
前記光パイプが円形パイプであることを特徴とする、請求項６に記載の光度調整装置。
【請求項９】
前記光パイプが円形パイプであることを特徴とする、請求項６に記載の光度調整装置。
【請求項１０】
環境光の変化に対応して光度を調整可能なインテリジェントディスプレイに利用する光度調整方法であって、
第一光検知装置を利用して環境光値を取得し、外部光度値を与え、
第二光検知装置を利用してディスプレイパネル内部の光度を取得し、内部光度値を与え、
マイクロチップシステムを利用して外部光度値と内部光度値を比較し、ディスプレイパネル光度の調整に適した値を算出し、内部光度調整値を与え、
変換機を利用して前記値を一連の信号に変換し、変換信号を光度調整モジュールに送信して、前記値を一連の信号に変換し、
前記光度調整モジュールで受信した値に従って内部光度レベルを設定する、
ディスプレイパネルの光度調整方法。
【請求項１１】
外部光度値が内部光度値よりも高い場合、内部光度値が内部光度調整値にまで上げられることを特徴とする、請求項１０に記載の光度調整方法。
【請求項１２】
外部光度値が内部光度値よりも低い場合、内部光度値が内部光度調整値にまで下げられることを特徴とする、請求項１０に記載の光度調整方法。
【請求項１３】
前記内部光度調整値が外部光度より高いことを特徴とする、請求項１１に記載の光度調整方法。
【請求項１４】
前記内部光度調整値が内部光度値と等しいことを特徴とする、請求項１１に記載の光度調整方法。
【請求項１５】
前記内部光度調整値が内部光度値より低いことを特徴とする、請求項１２に記載の光度調整方法。
【請求項１６】
前記内部光度調整値が内部光度値と等しいことを特徴とする、請求項１２に記載の光度調整方法。
【発明の詳細な説明】
【技術分野】
【０００１】
本発明は、インテリジェント型ディスプレイパネルの光度を調整する装置と方法に関し、特に環境光に合わせて、ディスプレイパネルの光度を調整することが可能な光度調整装置と光度調整方法に関するものである。
【背景技術】
【０００２】
従来のディスプレイパネルの光度を調整する方法としては、一般的にユーザーが独自に手動で行うといった、面倒な方法が存在した。例えば、ユーザーがディスプレイコントロールパネルのボタンを押したり、ノブを回したりして、ディスプレイパネルの光度を調整することが可能となり、自分の好みに合ったディスプレイパネルに最適な設定を選ぶことが出来る。
【発明の開示】
【発明が解決しようとする課題】
【０００３】
しかし、調整プロセスは、全体的に少々複雑で厄介なものである。そのため時にはユーザーを苛立たせたり、諦めさせたりといった状態にすることもある。更に、意識せずに過剰にまばゆかったり、くすんだりした設定を選択することもよくある。そして、ディスプレイパネルの寿命を短くしたり、目にも良くない影響を与えたりすることもある。
【０００４】
更に、ディスプレイパネルを頻繁に調整することの不便さと、頻繁に調整し過ぎることで起こる問題は、二人以上のユーザーがディスプレイパネルを利用して、常に独自の光度設定に変更する場合に良くあり、長期的に見ればディスプレイパネルの寿命を短くするばかりでなく、ディスプレイパネルの表示の質にも悪影響を与える。
【０００５】
ノートブック型コンピュータにも上記と同様のことがあてはまる。過度の高光度設定は、より電力を消費するだけでなく、ディスプレイパネルの寿命に影響を与えるものである。そして更に、ディスプレイパネルの眩輝が、ユーザーの目に負担と疲労を与える。一方、低高度設定は、電力を節約し、ディスプレイパネルの寿命を長くするが、ディスプレイパネルの薄暗さは、労働効率を低下させるだけでなく、目に悪影響を与える。また、過度に頻繁に光度を調整することがディスプレイパネル内のコンバータの寿命を短くすることとなり、時にはコントロールノブやボタンにまでダメージを与え、ディスプレイパネルを作動不能にすることもある。従って、内蔵型光度最適化調整機能が必要とされている。
【０００６】
本発明は上述のような従来技術の問題に鑑みて成されたもので、その目的とするところは環境光に沿って光度を自動的に調整できるインテリジェントディスプレイパネルの光度調整装置および光度調整方法を提供することにある。
【課題を解決するための手段】
【０００７】
本願の第１発明は、フロントパネルとバックパネルを有した、ディスプレイパネルと、ディスプレイパネル外部の任意位置に設置した、少なくとも一つの第一光検知装置と、ディスプレイパネル内部の任意位置に設置した、少なくとも一つの第二光検知装置と、ディスプレイパネル内部の任意位置に設置した、マイクロチップシステムと、ディスプレイパネル内部の任意位置に設置した、変換機と、ディスプレイパネル内部の任意位置に設置した、光度調整モジュールとより成り、インテリジェントディスプレイパネルに利用し、環境光の変化に沿ってディスプレイパネル内部光度を調整可能に構成した、ディスプレイパネルの光度調整装置を提供する。
本願の第２発明は、前記第１発明において、前記ディスプレイパネルが液晶ディスプレイであることを特徴とする、光度調整装置を提供する。
本願の第３発明は、前記第１発明において、前記ディスプレイパネルがノート型コンピュータのディスプレイであることを特徴とする、光度調整装置を提供する。
本願の第４発明は、前記第１発明において、前記マイクロチップシステムがマイクロチップモジュールであることを特徴とする、光度調整装置を提供する。
本願の第５発明は、前記第１発明において、前記第一光検知装置が前記ディスプレイパネル上部前面外部の任意位置に設置したことを特徴とする、光度調整装置を提供する。
本願の第６発明は、前記第１発明において、前記第一光検知装置が更に光パイプを有することを特徴とする、請求項１に記載の光度調整装置を提供する。
本願の第７発明は、前記第１発明において、前記第二光検知装置が更に光パイプを有することを特徴とする、請求項１に記載の光度調整装置を提供する。
本願の第８発明は、前記第６発明において、前記光パイプが円形パイプであることを特徴とする、請求項６に記載の光度調整装置を提供する。
本願の第９発明は、前記第６発明において、前記光パイプが円形パイプであることを特徴とする、請求項６に記載の光度調整装置を提供する。
【０００８】
本願の第９発明は、環境光の変化に対応して光度を調整可能なインテリジェントディスプレイに利用する光度調整方法であって、第一光検知装置を利用して環境光値を取得し、外部光度値を与え、第二光検知装置を利用してディスプレイパネル内部の光度を取得し、内部光度値を与え、マイクロチップシステムを利用して外部光度値と内部光度値を比較し、ディスプレイパネル光度の調整に適した値を算出し、内部光度調整値を与え、変換機を利用して前記値を一連の信号に変換し、変換信号を光度調整モジュールに送信して、前記値を一連の信号に変換し、前記光度調整モジュールで受信した値に従って内部光度レベルを設定する、ディスプレイパネルの光度調整方法を提供する。
本願の第１１発明は、前記第１０発明において、外部光度値が内部光度値よりも高い場合、内部光度値が内部光度調整値にまで上げられることを特徴とする、光度調整方法を提供する。
本願の第１２発明は、前記第１０発明において、外部光度値が内部光度値よりも低い場合、内部光度値が内部光度調整値にまで下げられることを特徴とする、請求項１０に記載の光度調整方法を提供する。
本願の第１３発明は、前記第１１発明において、前記内部光度調整値が外部光度より高いことを特徴とする、請求項１１に記載の光度調整方法を提供する。
本願の第１４発明は、前記第１１発明において、前記内部光度調整値が内部光度値と等しいことを特徴とする、請求項１１に記載の光度調整方法を提供する。
本願の第１５発明は、前記第１２発明において、前記内部光度調整値が内部光度値より低いことを特徴とする、請求項１２に記載の光度調整方法を提供する。
本願の第１６発明は、前記第１２発明において、前記内部光度調整値が内部光度値と等しいことを特徴とする、請求項１２に記載の光度調整方法を提供する。
【０００９】
本発明の光度調整装置は、まずディスプレイパネル外に搭載した内蔵光検知装置（第一光検知装置）を利用して外部環境光値を取得し、ディスプレイパネル内部に搭載した他の内蔵光検知装置(第二光検知装置)を利用して内部光度値を取得する。そして、マイクロプロセッサで以って前記の値を比較し、ディスプレイパネル光度を調整するのに適した値を算出する。前記値は、内部光度変換機に送られ、そこでまず前記値を一連の信号に変換し、変換された信号を内蔵光度調整モジュールに送信し、この内蔵光度調整モジュールがこの値に沿ってディスプレイパネルの光度を調整するのである。更に、少なくとも一つの光パイプを光検知器に追加して、感光効率を向上させることが出来る。
【００１０】
本発明では、コンピュータユーザーが、手動でディスプレイパネルの光度を調整する必要がないことが特徴である。本発明は、内部及び環境光を比較し、環境光の変化に沿った、最適なディスプレイパネル高度値を算出するものである。
【００１１】
本発明は、ディスプレイパネルの光度を調整する光度調整装置と光度調整方法に関するものである。
本発明は、まず内蔵光検知装置を利用して外部光度値と内部光度値の両方を得る。
そして、マイクロチップシステムは、その値を比較して、ディスプレイパネル光度を調整するのに適した値を算出する。
その値は、内部光度変換装置に送られ、そこでその値を一連の信号に変換し、変換信号が内蔵光度調整モジュールに送られる。
この内蔵光度調整モジュールは、この値に沿ってディスプレイパネルの光度を調整する。
本発明を利用することによって、コンピュータユーザーは、ディスプレイパネルの光度を手動で調整する必要がなくなる。
本装置は、内部光度を環境光と比較し、環境光の変化に対応して最適なディスプレイパネル光度調整値を求める。
従って、設定を手動調整する際の面倒な工程を省くことができ、更にディスプレイパネル光度が過剰に高かったり低かったりするといった上述のような危険性を取り除くこととなる。
【発明の効果】
【００１２】
本発明は従来のディスプレイパネルと比較して以下のような利点を有する。
（１）本発明はユーザーにとって最適な光度設定に自動調整するインテリジェント装置であるため、ユーザーが、面倒な手動操作で頻繁な環境光の変化に合わせて調整作業を繰り返すといったことがなくなり、ユーザーにとっては、非常に便利な機能となる。
（２）異なったユーザーが、独自の好みに合わせて再設定する必要がなく、同じ最適設定を実施することが可能となる。
（３）本発明の光度設定の自動インテリジェント調整機能は、ディスプレイパネルの過度の使用や誤使用の可能性を著しく減少させ、ディスプレイパネルの寿命を延ばすものである。
【００１３】
本発明の好適な実施例について詳細に説明する前に、本発明は他の実施例にも適用可能であり、ここに開示する特定の形式に本願が限定されるべきではないことを理解されたい。更に、ここで利用されている用語は、本発明を説明する意味で用いられたもので、本発明を限定するものではない。以下は、本発明の好適な実施例の詳細を示すものであり、以下の説明をもってより良い理解ができる。
【発明を実施するための最良の形態】
【００１４】
図１は、本発明の実施例が、どのように環境光に対してディプレイパネルの高度のインテリジェントコントロールを実施するかを示したフローチャートである。
このフローチャート（プロセス１）は、以下のステップから成り立っている。
ステップ１０：光検知装置でディスプレイパネル光度値と環境光値を求める。
ステップ２０：マイクロチップで前記値を比較し、ディスプレイパネル光度調整に適した値を算出する。
ステップ３０：内部光度変換機で前記値を一連の信号に変換し、変換した信号を光度調整モジュールに送信する。
ステップ４０：光度調整モジュールが受信した値に沿ってディスプレイパネルの光度を調整する。
ステップ５０：ディスプレイパネル光度は、調整光度と増大する。
【００１５】
次に、図２は、本発明の好適な実施例の装置に利用する主な構成部と、本装置が利用して環境光の変化に伴うディスプレイパネルの光度のインテリジェントコントロールを行う方法を示すものである。
まず構成部としては、少なくとも１つの第一光検知装置７０と、少なくとも１つの第二光検知装置８０と、マイクロチップシステム９０と、変換機１００と、光度調整モジュール１１０とがある。
第一光検知装置７０は、図３Ａに示すようにディスプレイパネル６０の外側に配置する一方、第二光検知装置８０と、マイクロチップシステム９０と、変換機１００と、光度調整モジュール１１０は、ディスプレイパネル６０に内蔵する。
【００１６】
また、少なくとも一つの第一光検知装置７０だが、ディスプレイパネル６０の外側６１の適した位置に配置する。
より詳細には、少なくとも一つの第一光検知装置７０を、図３Ａに示すように、ディスプレイパネル６０の上方前面６１の適した位置に配置する。
一方、少なくとも一つの第二光検知装置８０を、図３Ｂに示すように、ディスプレイパネル６０のバックパネル６２の内側の適した位置に配置する。
【００１７】
以下は、本実施例のより詳細なステップを説明したものであり、環境光に関連してディスプレイパネルの光度のインテリジェントコントロールを達成する工程を説明している。
【００１８】
図１は、ユーザーがディスプレイパネル６０を利用する際、ステップ１０にあるように、ディスプレイパネルが内蔵光検知装置を利用して、外部及び内部光度値を取得する。
図２，図３Ａ，図３Ｂにおいて、ディスプレイパネル６０の上方前面６１に位置する少なくとも１つの第一光検知装置７０が環境光値を集め、ディスプレイパネルのバックパネル６２内の一方少なくとも１つの第二光検知装置８０が、ディスプレイパネルの内部光度値を集める。
２セットの値を集めた後、マイクロチップ９０が、前記値を比較し、上記のステップ２０にあるように、ディスプレイパネル光度を調整するのに適した値を算出する。
その（適した）値は、内部光度変換装置で一連の信号に変換され、上記のステップ３０のように、光度調整モジュール１１０に送信される。
光度調整モジュール１１０は、上記のステップ４０で説明したように、ＣＣＦＴ（cold cathode fluorescent tubes）の光度を上下させることによって、受信した値に沿って、ディスプレイパネルの光度を調整する。
ステップ５０にあるように、ディスプレイパネルの調整光度が上昇する。環境光が変化した場合、全体の工程をリピートする。
【００１９】
より詳細に説明するために、本インテリジェントディスプレイパネルが光度を調整するモジュールを以下に説明する。
＜１＞環境光が、ディスプレイパネルの内部高度よりも明るい場合、ディスプレイパネルのマイクロチップシステムが、比較・算出ステップの後、ディスプレイパネルの内部光度を上げる。
【００２０】
＜２＞環境光が、ディスプレイパネルの内部高度よりも暗い場合、ディスプレイパネルのマイクロチップシステムが、比較・算出ステップの後、ディスプレイパネルの内部光度を下げる。
【００２１】
異なった環境光に従って、マイクロチップシステムが作動し、光検知装置から取得した値を比較し、内部光度調整値を得る。
内部光度値が、内部光度調整値に調整される場合、内部光度調整値は、外部光値よりも大きいか、同じか、または小さい値を持つ場合がある。
【００２２】
また、図４に示すように、（オプションの）光パイプ１２０を第一光検知装置７０及び第二光検知装置８０に設置することが可能であり、夫々が感光性を上げ、従ってより正確な内部及び外部光度値を得ることが可能である。
【００２３】
勿論、本発明は、変化する環境光に沿って光度を自動的に調整することが出来るインテリジェントディスプレイパネルに関連するものであるが、従来技術の手動高度調整を改善した本発明の進歩を限定的に解釈されるべきではなく、むしろ新規な機能の追加であると解釈されるべきである。本発明で開示される何れの好適な実施例何にも、スクリーンの光度を手動で調整できるオプションが含まれている。
【００２４】
また、本発明に利用してディスプレイパネル光度を調整するマイクロチップシステムは、ＲＯＭ（リードオンリーメモリ）と、ユーザが与えるコマンドを格納可能なプログラム可能フラッシュメモリを有したマイクロチップモジュールである。
内部光度検知装置と環境光検知装置によって送信された光度値を受信すると、前記マイクロチップシステムは、二つの値を比較し、内部高度調整値を算出する。
【００２５】
以上開示した本発明の実施例の説明はあくまで例示であって、本発明はこれらに限定されるものではない。本発明は本発明の精神と特許請求の範囲に記載されている事項の変更例を含むよう最大限に広く解釈されるものである。
【図面の簡単な説明】
【００２６】
【図１】本発明の実施例に関し、環境光に関連してディスプレイパネルの光度のインテリジェントコントロールを実施する際のフローチャート。
【図２】本発明の実施例に示す装置の主要部分を示すチャート。
【図３Ａ】本発明の実施例に示す高度調整装置の部分断面図。
【図３Ｂ】本発明の実施例に示すバックパネルの斜視図。
【図４】本発明の実施例に示す光パイプの斜視図。
【符号の説明】
【００２７】
６０・・・・・ディスプレイパネル
７０・・・・・第一光検知装置
８０・・・・・第二光検知装置
９０・・・・・マイクロチップシステム
１００・・・・変換機
１１０・・・・光度調整モジュール
１２０・・・・光パイプ
【図１】
2006154703.tif 000003
【図２】
2006154703.tif 000004
【図３Ａ】
2006154703.tif 000005
【図３Ｂ】
2006154703.tif 000006
【図４】
2006154703.tif 000007